(57)【要約】【課題】  夜間に識別が可能であり視認性を向上できる蓄光型送電線部品を提供する。【解決手段】  架空送電線２に装着され、表面に下処理として白色塗膜が塗布により形成され、白色塗膜の上に少なくとも１層以上塗布された蓄光発光層４１を有し、例えば蓄光発光層４１は、焼き付け塗装による形成され、例えば下処理としてマンセル値Ｎ５以上の白色塗膜が形成される。【選択図】  図２
2009232496.tif 000002
【特許請求の範囲】
【請求項１】
架空送電線に装着され、表面に下処理として白色塗膜が塗布により形成され、前記白色塗膜の上に少なくとも１層以上塗布された蓄光発光層を有することを特徴とする蓄光型送電線部品。
【請求項２】
前記蓄光発光層は、焼き付け塗装により形成されることを特徴とする請求項１に記載の蓄光型送電線部品。
【請求項３】
前記下処理としてマンセル値Ｎ５以上の前記白色塗膜が形成されることを特徴とする請求項１に記載の蓄光型送電線部品。
【請求項４】
架空送電線に装着され、表面に下処理として白色塗膜が塗布により形成され、前記白色塗膜の上に少なくとも１層以上塗布された蓄光発光層を有する蓄光型送電線部品を備えることを特徴とする架空送電線。
【請求項５】
架空送電線に装着され、表面に下処理として白色塗膜が塗布により形成され、前記白色塗膜の上に少なくとも１層以上塗布された蓄光発光層を有する蓄光型送電線部品を備えることを特徴とする鉄塔。
【発明の詳細な説明】
【技術分野】
【０００１】
本発明は、蓄光型送電線部品、蓄光型送電線部品を備える架空送電線および鉄塔に関し、特に夜間識別するための蓄光型送電線部品、蓄光型送電線部品を備える架空送電線および鉄塔に関する。
【背景技術】
【０００２】
送電線には、飛行機や野鳥が衝突するおそれがあるので、この衝突を防ぐために、送電線には様々な標識が取り付けられることにより、送電線の存在を認識させることが考えられる。しかし、標識は昼間や周囲が明るい場合には識別できるが、薄暗くなった時には標識の認識は難しい。
【０００３】
このような問題に対して、蓄光電線リングは、略円柱型のリングであり、電線把持部に対して回転可能に設けられている。この蓄光電線リングは、軸方向に送電線を把持するための貫通穴を有し、高輝度蓄光顔料を含有した樹脂により形成されている（例えば、特許文献１参照）。
また、電位傾度の低いフレームの内側に標識体を設置してコロナ放電を防止すると共に標識体により、鳥に送電線の存在を知らしめ、これによって鳥が電線に衝突するのを防止する多導体用標識が開示される（例えば、特許文献２参照）。
また、特許文献３と特許文献４には、蓄光粉体塗料が開示されている。
【特許文献１】特開２００７−１４１０３号公報
【特許文献２】特開平９−１１７０４５号公報
【特許文献３】特開２００６−７０２３５号公報
【特許文献４】特開平１０−２８９２９号公報
【発明の開示】
【発明が解決しようとする課題】
【０００４】
ところが、特許文献１に開示されている蓄光電線リングを使用すると次のような問題がある。
送電線の点検時に作業者が電線に宙乗りする際に、使用する宙乗り機が電線を通過する時に通過の支障にならないようにするため、蓄光電線リングは大きく形成することができない。このため、蓄光電線リングの視認できる面積が十分確保できずに小さくなってしまい、発光しても視認が困難である。たとえ高輝度の蓄光顔料を含有した樹脂を使用しても、最高輝度は星の明かりよりも小さく、すぐに減衰してしまうために、屋外の遠く離れた場所からでは、蓄光電線リングが発光しても視認できない。
【０００５】
また、蓄光電線リングの視認できる面積が小さいことを補うために、数多くの蓄光電線リングを送電線に取り付けた場合には、送電線の受風面積が大きくなり、鉄塔の強度に影響が生じるので、必要以上に多くの蓄光電線リングを取り付けることは望ましくない。
そこで、本発明は上記課題を解消するために、夜間に識別が可能であり視認性を向上できる蓄光型送電線部品、蓄光型送電線部品を備える架空送電線および鉄塔を提供することを目的とする。
【課題を解決するための手段】
【０００６】
上記課題を解消するために、本発明の蓄光型送電線部品は、架空送電線に装着され、表面に下処理として白色塗膜が塗布により形成され、前記白色塗膜の上に少なくとも１層以上塗布された蓄光発光層を有することを特徴とする。
本発明の蓄光型送電線部品は、好ましくは前記蓄光発光層は、焼き付け塗装により形成されることを特徴とする。
本発明の蓄光型送電線部品は、好ましくは前記下処理としてマンセル値Ｎ５以上の前記白色塗膜が形成されることを特徴とする。
【０００７】
本発明の架空送電線は、架空送電線に装着され、表面に下処理として白色塗膜が塗布により形成され、前記白色塗膜の上に少なくとも１層以上塗布された蓄光発光層を有する蓄光型送電線部品を備えることを特徴とする。
【０００８】
本発明の鉄塔は、架空送電線に装着され、表面に下処理として白色塗膜が塗布により形成され、前記白色塗膜の上に少なくとも１層以上塗布された蓄光発光層を有する蓄光型送電線部品を備えることを特徴とする。
【発明の効果】
【０００９】
本発明によれば、夜間に識別が可能であり視認性を向上できる。
【発明を実施するための最良の形態】
【００１０】
以下、図面を参照して、本発明の好ましい実施形態を詳細に説明する。
図１は、本発明の蓄光型送電線部品を備える架空送電線と、この架空送電線を保持する鉄塔の例を示している。
図１に示す鉄塔１は、架空送電線としての複数本の電線２を保持しており、各電線２には、蓄光型送電線部品１０が取り付けられている。
【００１１】
図２は、図１に示す蓄光型送電線部品１０を拡大して示す正面図である。
図２に示すように、蓄光型送電線部品１０は、蓄光型ルーズスペーサとも呼ばれており、４つの電線把持部１１，１２，１３，１４と、フレーム１８を有している。電線把持部１１と電線把持部１２は同じ形状を有しており、電線把持部１３と電線把持部１４は電線把持部１１と電線把持部１２とは異なる形状を有している。
【００１２】
フレーム１８は、４つのプレート１９，２０，２１，２２を有している。電線把持部１１，１３は、直線Ｌ１上に沿って配置され、電線把持部１２，１４は、直線Ｌ２上に沿って配置されている。直線Ｌ１，Ｌ２は直交しており、電線２の長手方向Ｌに対して直交している。つまり、４本の電線２を把持できる蓄光型ルーズスペーサである。
【００１３】
図２に示す電線把持部１１は、取り付け部１５と、把持部材１６，１７を有している。電線把持部１２も、取り付け部１５と、把持部材１６，１７を有している。電線把持部１１の取り付け部１５は把持部材１６の一端部に設けられており、取り付け部１５はフレーム１８のプレート１９に対してネジにより固定されている。
【００１４】
同様にして、電線把持部１２の取り付け部１５は把持部材１６の一端部に設けられており、取り付け部１５はフレーム１８のプレート２０に対してネジにより固定されている。フレーム１８は、４つの電線把持部１１，１２，１３，１４を、互いに間隔をおいて９０度毎に離して配置するための素導体間隔保持部材である。
各把持部材１６，１７は、電線２を着脱可能に把持しているが、この把持部材１６，１７の内側には把持部品３０が配置されている。この把持部品３０は、把持部材１６，１７の内側と電線２の外周面の間に挟まれており、電線２を直接把持している。
【００１５】
電線把持部１３は、取り付け部１３Ｂと、把持部材１３Ｃを有している。電線把持部１４は、取り付け部１４Ｂと、把持部材１４Ｃを有している。把持部材１３Ｃと把持部材１４Ｃは、それぞれ電線２を把持している。
【００１６】
図２に示す蓄光型送電線部品１０の４つの電線把持部１１，１２，１３，１４と、フレーム１８は、屋外使用のためにその材質がアルミニウム製か鉄製である。蓄光型送電線部品１０の各要素が鉄製である場合には、溶融亜鉛メッキ塗装が施されている。この溶融亜鉛メッキ層は、高温加熱により溶けてしまう場合があり、蓄光型送電線部品１０の錆の原因となることが分かっている。
【００１７】
そこで、図３に示すように、蓄光型送電線部品１０の４つの電線把持部１１，１２，１３，１４と、フレーム１８は、初めに下地処理層として白色の粉体塗装を行って白色層４０を形成する。白色層４０を粉体塗装後に、この白色層４０の上には、蓄光材を粉体塗装して蓄光発光層４１を形成する。粉体塗装により蓄光材の塗装作業を少なくとも１層以上、好ましくは何度も繰り返して蓄光材を厚く形成することにより、厚い膜厚の蓄光発光層４１を形成できる。このため、蓄光発光層４１からの発光量を増大させて、視認性が向上できる。
【００１８】
この白色層４０の上には、好ましくは蓄光材の粉体顔料を焼き付け塗装することで蓄光発光層４１を形成するが、このように、蓄光材の粉体顔料を焼き付け塗装して蓄光発光層４１を形成する場合には、その加熱方法としては、熱風を対流させて加熱させる対流加熱方法や、近赤外線、遠赤外線の熱線照射による加熱方式等が採用できる。
しかし、蓄光発光層４１は、４つの電線把持部１１，１２，１３，１４が電気絶縁とならないように、電線把持部１１，１２，１３，１４の電線２と接触する面には、塗布しないことが望ましい。
【００１９】
上述したように、図３に示すような白色層４０を形成することにより、この後に形成される蓄光発光層４１に吸収されずに透過してしまった光４２が、白色層４０により反射して、蓄光発光層４１に対して再度通過することにより、光４２は蓄光発光層４１において再度吸収させることができる。このため、日照量の少ない場合でも、蓄光発光層４１は光エネルギーを効率良く吸収して、より多い光量を発光することができる。
【００２０】
また、蓄光発光層４１が光を発光した際に蓄光発光層４１の内側に向けて白色層４０に対して向かう光４２が、白色層４０において反射して、見かけ上発光量が倍増する等の効果がある。
白色層４０は、マンセル値としては、Ｎ５以上のものが光を反射しやすいために、望ましい。白色層のマンセル値がＮ５未満であると、光を反射する量が少なくなる。
【００２１】
次に、本発明の別の実施形態を説明する。
図４は、本発明の別の実施形態を示しており、電線２の途中に設けられている標識球５０を示している。この標識球５０は、例えば鉄製であり、溶融亜鉛メッキ塗装が施されている。標識球５０の表面には、白色層４０を粉体塗装後に、この白色層４０の上には、蓄光材の粉体顔料を焼き付け塗装することで蓄光発光層４１が形成されている。
【００２２】
このように、蓄光材の粉体顔料を焼き付け塗装して蓄光発光層４１を形成する場合には、その加熱方法としては、熱風を対流させて加熱させる対流加熱方法や、近赤外線、遠赤外線の熱線照射による加熱方式等が採用できる。
粉体塗装により蓄光材の塗装を少なくとも１層以上、好ましくは何度も繰り返して蓄光材を厚く形成することにより、厚い膜厚の蓄光発光層４１が形成できるので、蓄光発光層４１からの発光量を増大させて、視認し易くなる。
【００２３】
白色層４０を形成することにより、次のような効果がある。すなわち、溶融亜鉛メッキ層が溶けるのを防止することができる。しかも、この後に形成される蓄光発光層４１に吸収されずに透過してしまった光４２が、白色層４０により反射して、再度蓄光発光層４１に通過されることにより、再度光４２は蓄光発光層４１に吸収させることができる。このため、日照量の少ない場合でも、蓄光発光層４１は光を効率良く吸収することができる。また、蓄光発光層４１が発光した際に蓄光発光層４１の内側に向けて発光した光４２が、白色層４０において反射して見かけ上、発光量が倍増する等の効果がある。
白色層４０は、マンセル値としては、Ｎ５以上のものが光を反射しやすいために、望ましい。白色層のマンセル値がＮ５未満であると、光を反射する量が少なくなる。
【００２４】
図５は、本発明の別の実施形態を示しており、蓄光型送電線部品１０Ｂを示す正面図である。
図５に示す蓄光型送電線部品１０Ｂでは、標識球５０Ｂを有しており、標識球５０Ｂは、図２に示す蓄光型送電線部品１０のフレーム１８に代えて設けられている。図５に示す実施形態では標識球５０Ｂ以外の要素は、図２に示す実施形態におけるフレーム１８以外の要素と実質的には同じであるので、同じ符号を記してその説明を用いる。
【００２５】
図５では、電線把持部１１，１３は、半割球である標識球５０Ｂに対して直線Ｌ１上に沿って固定され、電線把持部１２，１４は、標識球５０Ｂに対して直線Ｌ２上に沿って固定されている。標識球５０Ｂは、図４に示す実施形態と同様に白色層４０と蓄光発光層４１が形成されている。そして、４つの電線把持部１１，１２，１３，１４にも白色層４０と蓄光発光層４１が形成されている。
このようにすることで、蓄光型送電線部品１０Ｂの視認性をさらに上げることができる。
【００２６】
なお、図５の標識球５０Ｂは、図２に示す蓄光型送電線部品１０のフレーム１８に取り付けられる構造を持つ半割り型の球であってよい。また、複数の標識球５０Ｂを付ける場合、それぞれの大きさを異ならせてもよく。さらに、所定箇所に付ける標識球５０Ｂを任意の蓄光色としてもよい。
【００２７】
また、本発明に記載のない送電線部品、例えば、ねじれ防止ダンパーや架空線用ダンパーのクランプや重錘（例えば、特開２００２−１０１５４１号公報）、クロスワイヤダンパのクランプ（例えば、実開平５−２５３６号公報）、相間スペーサのクランプや連結棒（例えば、特開平６−１１３４３５号公報）等に対して、白色層４０と蓄光発光層４１が形成されることにより、蓄光型送電線部品を作製でき、上述した各実施形態と同様な効果を発揮できる。また、相間スペーサの連結棒や、クロスワイヤダンパの電線部に、任意の大きさの標識球５０を付けてもよい。
【００２８】
しかも、本発明の実施形態では、既存の送電線付属部品に対して塗布するだけでよいので、送電線設備や鉄塔に対して影響を及ぼさない。
特に、電線（回線）の相間スペーサやねじれ防止ダンパーに対して、回線間で異なる蓄光色の蓄光発光層を形成することにより、回線の識別がし易くなる。
【００２９】
ところで、上述した下地処理としての白色塗装の例としては、例えば、エポキシ、ポリエステル、アクリル、エポキシ−ポリエステル等である。また、蓄光発光層４１を形成する蓄光材の粉体顔料としては、例えばアクリル樹脂系粉体と蓄光剤と添加剤とを混合して形成されているが、樹脂はこれに限らない。蓄光材としては、太陽光や照明の光等の受光エネルギーを蓄積して、暗所で発光する材質、例えば硫化亜鉛系、珪酸亜鉛系、硫化亜鉛カルシウム系、硫化ストロンチウム系等が挙げられる。蓄光材の材質としては、耐水性を有する蓄光性を備える蛍光体を採用できる。樹脂としては、ＥＶＡ（エチレンビニールアセテート）、エポキシ樹脂ポリプロピレン、ポリカーボネイト等、またはこれらの材料の合成物を採用できる。
また、蓄光材の顔料は、例えば硫化亜鉛系、珪酸亜鉛系、硫化亜鉛カルシウム系、硫化ストロンチウム系等である。
【００３０】
ところで、図１に示すように、鉄塔１は、腕金部６０を有している。この腕金部６０は、複数の金属部材６１ａ，６１ｂ，６１ｃ，６１ｄから構成されるので、任意の金属部材６１ａ，６１ｂ，６１ｃ，６１ｄと、図示しない本発明の蓄光型として構成した別の金属部材とを交換したり、あるいは、蓄光型として構成した別の金属部材を新規に設けることができる。これにより、鉄塔１の任意の位置の金属部材６１ａ，６１ｂ，６１ｃ，６１ｄを蓄光させることができる。また、本発明の蓄光型にした標識部材７０は、鉄塔１の任意の位置に取り付けすることにより、標識部材７０が蓄光できる。
【００３１】
本発明の実施形態では、蓄光型送電線部品の構成要素や標識球では、下処理として白色塗装を施した後、少なくとも１層以上塗布した蓄光発光層が形成されている。蓄光型送電線部品の構成要素や標識球は、架空送電線に装着されて夜間発光により送電線の位置を認識させる機能を有している。
【００３２】
蓄光発光層は、粉体を焼き付け塗装により形成することで、耐候性を向上できる。
下処理として形成された白色層のマンセル値がＮ５以上であれば、蓄光発光層に対して光を反射しやすいので、蓄光発光層の発光量が倍増し、視認性が向上する。
【００３３】
本発明の実施形態の蓄光型送電線部品を電線に対して取り付けることにより、蓄光型送電線部品は蓄えた太陽エネルギーを光として放出し、夜間電線であることを識別可能になり、人間のみならず、鳥獣にも認識できる。
【００３４】
本発明の実施形態の蓄光型送電線部品は、工場において予め高輝度の蓄光顔料を焼き付け塗装するために、既に別の用途で取り付けられているものであるため、送電設備に与える影響が考慮されている。また、図２と図５に示すような蓄光型送電線部品は、従来の蓄光電線リングに比べて発光面積を大きくできるので、視認性が向上する。
【００３５】
また、架空送電線の表面あるいは鉄塔の表面には、下処理として白色塗膜が塗布により白色層を形成し、白色層上に少なくとの１層以上塗布された蓄光発光層を備えることで、溶融亜鉛メッキ層が溶けるのを防止することができる。しかも、この後に形成される蓄光発光層に吸収されずに透過してしまった光が、白色層により反射して、再度蓄光発光層に通過されることにより、再度光は蓄光発光層に吸収させることができる。このため、日照量の少ない場合でも、蓄光発光層は光を効率良く吸収することができる。また、蓄光発光層が発光した際に蓄光発光層の内側に向けて発光した光が、白色層において反射して見かけ上、発光量が倍増する等の効果がある。
【００３６】
ところで、本発明は、上記実施形態に限定されず種々の変形例を採用できる。
例えば、本発明の各実施形態は組み合わせて用いることができる。
また、白色層の代わりに、蓄光発光層を設ける際の温度に達しても溶けない金属を、少なくとも蓄光発光層を設ける側が略鏡面になるように蒸着して、金属層を設けて反射させるようにしてよい。
【図面の簡単な説明】
【００３７】
【図１】本発明の蓄光型送電線部品を備える架空送電線と、この架空送電線を保持する鉄塔の例を示す図である。
【図２】図１に示す蓄光型送電線部品１０を拡大して示す正面図である。
【図３】下地処理層として白色層と蓄光発光層を示す断面図である。
【図４】本発明の別の実施形態を示す図である。
【図５】本発明のさらに別の実施形態を示す図である。
【符号の説明】
【００３８】
１          鉄塔
２          電線
１０        蓄光型送電線部品
１１，１２，１３，１４    電線把持部
１８        フレーム
１９，２０，２１，２２    プレート
４０        白色層
４１        蓄光発光層
４２        光
５０        標識球
【図１】
2009232496.tif 000003
【図２】
2009232496.tif 000004
【図３】
2009232496.tif 000005
【図４】
2009232496.tif 000006
【図５】
2009232496.tif 000007